(57)【特許請求の範囲】
【請求項１】
天井面などに固定される略円筒形状の引掛シーリングボディケースと；
前記引掛シーリングボディケースの取付面部の中心に対して外側であって同じ円周上の１８０°離間した位置に形成され、当該引掛シーリングボディケースに着脱自在に取り付けられる引掛シーリングキャップに設けられた一対の電極刃が挿入される一対の電極刃受け穴と；
前記引掛シーリングボディケース内に設けられ、前記電極刃が前記電極刃受け穴に挿入された状態で前記シーリングボディケースに対して前記引掛シーリングキャップを回動させることにより前記電極刃と引っ掛かり導通状態に接続される一対の電源極と；
前記引掛シーリングボディケースの取付面部に一対の電極刃受け穴が形成されている円周上であって、一対の電極刃受け穴を結んだ直線に対してその直線の中央位置で直交する直線上の位置に形成され、前記引掛シーリングキャップに設けられた接地用の接地極刃が挿入される接地極刃受け穴と；
前記引掛シーリングボディケース内に設けられ、前記接地極刃が前記接地極刃受け穴に挿入したときに前記接地極刃に接続され、前記電極刃と前記電源極との接続よりも先に前記接地極刃と導通状態に接続される接地用の接地極と；
を具備する引掛シーリングボディ。
【請求項２】
前記接地極刃受け穴は、一対の前記電極刃受け穴を結んだ直線の中央位置に対して点対称となる位置に一対設けられている請求項１記載の引掛シーリングボディ。
【請求項３】
照明器具の電源コードの先端部に取付けられる略円筒形状の引掛シーリングキャップケースと；
前記引掛シーリングキャップケースの上面部の中心に対して外側であって同じ円周状の１８０°離間した位置に突出して設けられ、天井面などに固定される引掛シーリングボディケースの取付面部に形成された一対の電極刃受け穴に挿入され、挿入された状態で前記シーリングボディケースに対して前記引掛シーリングキャップを回動させることにより前記シーリングボディケース内に設けられた一対の電源極と引っ掛かり導通状態に接続される一対の電極刃と；
前記引掛シーリングキャップケースの上面部に前記一対の電極刃と同じ円周上であって、一対の電極刃を結んだ直線に対してその直線の中央位置で直交する直線上の位置に突出して設けられ、前記引掛シーリングボディケースの取付面部に形成された接地極刃受け穴に挿入されることによって前記引掛シーリングボディケース内に設けられた接地用の接地極と導通状態に接続され、前記電極刃と前記電源極との接続よりも先に前記接地極刃と導通状態に接続される接地用の接地極刃と；を具備する引掛シーリングキャップ。
【請求項４】
前記接地極刃は、一対の前記電極刃を結んだ直線の中央位置に対して点対称となる位置に一対設けられている請求項３記載の引掛シーリングキャップ。
【請求項５】
前記接地極刃は、前記接地極に対して引っ掛けられる係止爪を有する請求項３または４記載の引掛シーリングキャップ。
【請求項６】
請求項１記載の引掛シーリングボディと；
請求項３記載の引掛シーリングキャップと；
を具備し、
前記電極刃が前記電極刃受け穴に挿入されて前記電源極に接続され、前記接地極刃と前記接地極とが導通状態に接続されている照明器具取付装置。
【請求項７】
請求項６記載の照明器具取付装置と；
電源コードの先端部に前記引掛シーリングキャップが取り付けられた照明器具と；
を具備する照明装置。
【請求項８】
請求項６記載の照明器具取付装置と；
アダプタを兼ねた前記引掛シーリングキャップが取付けられた照明器具と；
を具備する照明装置。
【発明の詳細な説明】
【０００１】
【発明の属する技術分野】
本発明は、天井面などへ照明器具を取り付けるための照明器具取付装置、引掛シーリングボディ、引掛シーリングキャップおよび照明装置に関する。
【０００２】
【従来の技術】
従来、天井面などへの照明器具の取り付けには、天井面に固定された引掛シーリングボディと、照明器具の電源コードの先端部に取り付けられた引掛シーリングキャップとからなる照明器具取付装置が広く使用されている。この照明器具取付装置を使用すれば、必要に応じて照明器具を簡単に交換することができる。
【０００３】
【発明が解決しようとする課題】
しかし、従来の引掛シーリングボディおよび引掛シーリングキャップには接地極がないため、照明器具に接地端子が設けられている場合であっても、その照明器具を接地させることが困難であり、接地せずに使用している場合が多い。
【０００４】
そこで本発明は、接地端子を備えた照明器具の接地を簡単に行うことができる引掛シーリングボディ、引掛シーリングキャップ、照明器具取付装置および照明装置を提供することを目的とする。
【０００５】
【課題を解決するための手段】
請求項１記載の発明の引掛シーリングボディは、天井面などに固定される略円筒形状の引掛シーリングボディケースと；前記引掛シーリングボディケースの取付面部の中心に対して外側であって同じ円周上の１８０°離間した位置に形成され、当該引掛シーリングボディケースに着脱自在に取り付けられる引掛シーリングキャップに設けられた一対の電極刃が挿入される一対の電極刃受け穴と；前記引掛シーリングボディケース内に設けられ、前記電極刃が前記電極刃受け穴に挿入された状態で前記シーリングボディケースに対して前記引掛シーリングキャップを回動させることにより前記電極刃と引っ掛かり導通状態に接続される一対の電源極と；前記引掛シーリングボディケースの取付面部に一対の電極刃受け穴が形成されている円周上であって、一対の電極刃受け穴を結んだ直線に対してその直線の中央位置で直交する直線上の位置に形成され、前記引掛シーリングキャップに設けられた接地用の接地極刃が挿入される接地極刃受け穴と；前記引掛シーリングボディケース内に設けられ、前記接地極刃が前記接地極刃受け穴に挿入したときに前記接地極刃に接続され、前記電極刃と前記電源極との接続よりも先に前記接地極刃と導通状態に接続される接地用の接地極と；を具備する。
【０００８】
従って、引掛シーリングボディにボディ側接地部を設けることにより、この引掛シーリングボディに取り付ける引掛シーリングキャップとして、取付時にボディ側接地部に導通状態に接続されるキャップ側接地部を備えた引掛シーリングキャップを使用することにより、電源コードの先端部にこの引掛シーリングキャップを取り付けた照明器具の接地を簡単に行える。
また、一対の電源極とボディ側接地部とに接続される配線コードを引掛シーリングボディケースの中央部からまとめて引き出すとき、引掛シーリングボディケース内における各配線コードの長さが同じになり、これらの配線コードの結線作業や配線作業の作業性が向上する。
また、一対の電源極に対して接地極が最も離れて位置することになり、電源極と接地極との間の絶縁性が向上する。また、一対の電源極と接地極とが最も離れて位置するので、電源極と接地極とに対する配線コードの結線作業や配線作業の作業性が向上する。
【０００９】
請求項２記載の発明は、請求項１記載の引掛シーリングボディにおいて、前記接地極刃受け穴は、一対の前記電極刃受け穴を結んだ直線の中央位置に対して点対称となる位置に一対設けられている。
【００１０】
従って、この引掛シーリングボディに引掛シーリングキャップを取り付けるために電極刃と電極刃受け穴とを位置合わせしたとき、接地極と接地極刃とが必ず対向することになり、引掛シーリングキャップの取付作業が簡単になる。
【００１９】
請求項３記載の発明の引掛シーリングキャップは、照明器具の電源コードの先端部に取付けられる略円筒形状の引掛シーリングキャップケースと；前記引掛シーリングキャップケースの上面部の中心に対して外側であって同じ円周状の１８０°離間した位置に突出して設けられ、天井面などに固定される引掛シーリングボディケースの取付面部に形成された一対の電極刃受け穴に挿入され、挿入された状態で前記シーリングボディケースに対して前記引掛シーリングキャップを回動させることにより前記シーリングボディケース内に設けられた一対の電源極と引っ掛かり導通状態に接続される一対の電極刃と；前記引掛シーリングキャップケースの上面部に前記一対の電極刃と同じ円周上であって、一対の電極刃を結んだ直線に対してその直線の中央位置で直交する直線上の位置に突出して設けられ、前記引掛シーリングボディケースの取付面部に形成された接地極刃受け穴に挿入されることによって前記引掛シーリングボディケース内に設けられた接地用の接地極と導通状態に接続され、前記電極刃と前記電源極との接続よりも先に前記接地極刃と導通状態に接続される接地用の接地極刃と；を具備する。
【００２０】
従って、引掛シーリングキャップに接地極刃を設けることにより、この引掛シーリングキャップを取り付ける引掛シーリングボディとして、取付時に接地極刃に導通状態に接続される接地極を備えた引掛シーリングボディを使用することにより、電源コードの先端部にこの引掛シーリングキャップを取り付けた照明器具の接地を簡単に行える。また、接地極が電極刃と電源極との接続より先に接地極刃と導通状態に接続されるように構成されているので、引掛シーリングキャップを引掛シーリングボディに取り付ける際における感電事故を防止できる。
また、一対の電極刃と接地極刃とに接続される配線コードを引掛シーリングキャップケースの中央部からまとめて引き出すとき、引掛シーリングキャップケース内における各配線コードの長さが同じになり、これらの配線コードの結線作業や配線作業の作業性が向上する。
また、一対の電極刃に対して接地極刃が最も離れて位置することになり、電極刃と接地極との間の絶縁性が向上する。また、一対の電極刃と接地極刃とが最も離れて位置するので、電源極と接地極とに対する配線コードの結線作業や配線作業の作業性が向上する。
【００２１】
請求項６記載の発明は、請求項５記載の引掛シーリングキャップにおいて、前記接地極刃は、一対の前記電極刃を結んだ直線に対してその直線の中央位置で直交する直線上に配置されている。
【００２２】
従って、一対の電極刃に対して接地極刃が最も離れて位置することになり、電極刃と接地極との間の絶縁性が向上する。また、一対の電極刃と接地極刃とが最も離れて位置するので、電源極と接地極とに対する配線コードの結線作業や配線作業の作業性が向上する。
【００２７】
請求項４記載の発明は、請求項３記載の引掛シーリングキャップにおいて、前記接地極刃は、一対の前記電極刃を結んだ直線の中央位置に対して点対称となる位置に一対設けられている。
【００２８】
従って、この引掛シーリングキャップを引掛シーリングボディに取り付けるために電極刃と電極刃受け穴とを位置合わせしたとき、接地極と接地極刃とが必ず対向することになり、引掛シーリングキャップの取付作業が簡単になる。
【００２９】
請求項５記載の発明は、請求項３または４のいずれか一記載の引掛シーリングキャップにおいて、前記接地極刃は、前記接地極に対して引っ掛けられる係止爪を有する。
【００３０】
従って、引掛シーリングキャップを引掛シーリングボディに取り付けたとき、一対の電極刃が一対の電源極に引っ掛かるとともに、接地極と接地極刃とが引っ掛かるので、引っ掛かりの箇所が増え、引掛シーリングキャップを介して取り付けた照明器具の取付状態がより一層安定する。
【００３１】
請求項６記載の発明の照明器具取付装置は、請求項１記載の引掛シーリングボディと；請求項３記載の引掛シーリングキャップと；を具備し、前記電極刃が前記電極刃受け穴に挿入されて前記電源極に接続され、前記接地極刃と前記接地極とが導通状態に接続されている。
【００３２】
従って、これらの引掛シーリングボディと引掛シーリングキャップとを用いることにより、電源コードの先端部にこの引掛シーリングキャップを取り付けた照明器具の接地を簡単に行える。
【００３５】
請求項７記載の発明の照明装置は、請求項６記載の照明器具取付装置と；電源コードの先端部に前記引掛シーリングキャップが取り付けられた照明器具と；を具備する。
【００３６】
従って、この照明装置によれば、照明器具の接地を簡単に行え、感電事故を防止できて安全性が高くなる。
【００３７】
請求項８記載の発明の照明装置は、請求項６記載の照明器具取付装置と；アダプタを兼ねた前記引掛シーリングキャップが取り付けられた照明器具と；を具備する。
【００３８】
従って、この照明装置によれば、アダプタを必要とする照明器具の場合でも、その照明器具の接地を簡単に行え、感電事故を防止できて安全性が高くなる。
【００３９】
【発明の実施の形態】
本発明の第１の実施の形態を図１ないし図３に基づいて説明する。図１は、照明装置を示す側面図である。図２は、引掛シーリングボディと引掛シーリングキャップとを示す斜視図である。図３は、引掛シーリングキャップを示す側面図である。
【００４０】
まず、引掛シーリングボディ１について説明する。この引掛シーリングボディ１は、略円筒形状に形成された引掛シーリングボディケース２を備えており、この引掛シーリングボディケース２は天井面などに固定されている。
【００４１】
引掛シーリングボディケース２における、この引掛シーリングボディケース２を天井面などに取り付けたときに床面に対向し、後述する引掛シーリングキャップが着脱自在に取り付けられる取付面部３には、一対の電極刃受け穴４，５が形成されている。これらの電極刃受け穴４，５は、取付面部３の中心部に対して１８０°離間した位置に形成されている。また、引掛シーリングボディケース２内には、電極刃受け穴４，５の上方に位置する一対の電源極（図示せず）が設けられている。これらの電源極には、天井裏に設置された配線から分岐された配線コード（図示せず）が接続されている。
【００４２】
さらに、引掛シーリングボディケース２には、接地用の一対のボディ側接地部６，７が設けられている。これらのボディ側接地部６，７は、引掛シーリングボディケース２の取付面部３に形成された一対の接地極刃受け穴６ａ，７ａと、引掛シーリングボディケース２内における接地極刃受け穴６ａ，７ａの上方に設けられた一対の接地極（図示せず）とにより形成されている。これらの接地極には、天井裏に設置された配線から分岐された配線コード（図示せず）が接続されている。
【００４３】
ボディ側接地部６，７は、一対の電極刃受け穴４，５を結んだ直線“Ａ”に対して、その直線“Ａ”の中央位置で直交する直線“Ｂ”上であって、かつ、この直線“Ａ”の中央位置に対して点対称となる位置に配置されている。
【００４４】
また、ボディ側接地部６，７は、一対の電極刃受け穴４，５と同じ円周“Ｃ”上に配置されている。
【００４５】
つぎに、引掛シーリングキャップ８について説明する。この引掛シーリングキャップ８は、略円筒形状に形成された引掛シーリングキャップケース９を備えており、この引掛シーリングキャップケース９は、照明器具１０の電源コード１１の先端部に取り付けられている。
【００４６】
引掛シーリングキャップケース９における、天井面に取り付けられた引掛シーリングボディケース２に対向する上面部１２には、一対の電極刃１３，１４が上方向きに突出して設けられ、電極刃１３，１４の上端部には係止爪１３ａ，１４ｂが形成されている。これらの電極刃１３，１４は、上面部１２の中心部に対して１８０°離間した位置に形成されている。さらに、上面部１２には、接地用のキャップ側接地部である接地極刃１５が上方向きに突出して設けられ、この接地極刃１５の上端部にも係止爪１５ａが形成されている。
【００４７】
引掛シーリングキャップケース９内には、電源コード１１を構成する３本の配線コード（図示せず）が、電極刃１３，１４と接地極刃１５とに接続されている。
【００４８】
接地極刃１５は、一対の電極刃１３，１４を結んだ直線“ａ”に対して、その直線“ａ”の中央位置で直交する直線“ｂ”上に配置されている。
【００４９】
また、接地極刃１５は、一対の電極刃１３，１４と同じ円周“ｃ”上に配置されている。なお、この円周“ｃ”と引掛シーリングボディ１の円周“Ｃ”とは、同じ大きさに形成されている。
【００５０】
引掛シールキャップケース９の上面部１２から接地極刃１５の上端部までの寸法“Ｄ”は、上面部１２から電極刃１３，１４の上端部までの寸法“ｄ”より大きく設定されている（図３参照）。
【００５１】
このような構成において、照明器具１０が取り付けられた引掛シーリングキャップ８を天井面に固定された引掛シーリングボディ１に取り付けることにより、電極刃１３，１４が電極刃受け穴４，５に挿入され、挿入された電極刃１３，１４が電源極に引っ掛かり、接続状態となる。これにより、天井面への照明器具１０の取り付けと、照明器具１０への通電とを行える。
【００５２】
さらに、引掛シーリングキャップ８を引掛シーリングボディ１に取り付けたとき、接地極刃１５が一方の接地極刃受け穴６ａに挿入され、挿入された接地極刃１５が接地極に接続される。これにより、引掛シーリングキャップ８を引掛シーリングボディ１へ取り付けることによって照明器具１０を接地させることができ、照明器具１０の接地を簡単に行える。
【００５３】
また、接地極刃１５を接地極に接続したとき、この接地極刃１５の係止爪１５ａが接地極に引っ掛かる。これにより、引掛シーリングボディ１への引掛シーリングキャップ８の取り付けが、係止爪１３ａ，１４ａの電源極への引っ掛かりと、係止爪１５ａの接地極への引っ掛かりとにより行われ、引っ掛かりの箇所が増える。このため、引掛シーリングキャップ８を介して引掛シーリングボディ１に取り付けられた照明器具１０の取付状態がより一層安定する。
【００５４】
引掛シーリングボディ１に設けられた接地極刃受け穴６ａ，６ｂ及び接地極は、電極刃受け穴４，５を結んだ直線“Ａ”に対してその直線“Ａ”の中央位置で直交する直線“Ｂ”上に配置されている。このため、一対の電源極と接地極とが最も離れて位置することになり、電源極と接地極との間の絶縁性が向上し、かつ、引掛シーリングボディケース２内における電源極と接地極とに対する配線コードの結線作業や配線作業の作業性が向上する。
【００５５】
同様に、引掛シーリングキャップ８に設けられた接地極刃１５は、電極刃１３，１４を結んだ直線“ａ”に対してその直線“ａ”の中央位置で直交する直線“ｂ”上に配置されている。このため、一対の電極刃１３，１４と接地極刃１５とが最も離れて位置することになり、電極刃１３，１４と接地極刃１５との間の絶縁性が向上し、かつ、引掛シーリングキャップケース９内における電極刃１３，１４と接地極刃１５とに対する配線コードの結線作業や配線作業の作業性が向上する。
【００５６】
また、引掛シーリングボディ１に設けられた接地極刃受け穴６ａ，６ｂ及び接地極は、電極刃受け穴４，５と同じ円周“Ｃ”上に配置されている。このため、一対の電源極と接地極とに接続される配線コードを引掛シーリングボディケース２の中央部からまとめて引き出すとき、引掛シーリングボディケース２内における各配線コードの長さが同じになり、これらの配線コードの結線作業や配線作業の作業性が向上する。
【００５７】
同様に、引掛シーリングキャップ８に設けられた接地極刃１５は、電極刃１３，１４と同じ円周“ｃ”上に配置されている。このため、一対の接地極刃１５と電極刃１３，１４とに接続される配線コードを引掛シーリングキャップケース９の中央部からまとめて電源コード１１として引き出すとき、引掛シーリングキャップケース９内における各配線コードの長さが同じになり、これらの配線コードの結線作業や配線作業の作業性が向上する。
【００５８】
また、引掛シーリングボディ１では、一対の電極刃受け穴４，５を結んだ直線“Ａ”の中央位置に対して点対称となる位置に一対の接地極刃受け穴６ａ，６ｂ及び接地極が設けられているので、引掛シーリングボディ１に引掛シーリングキャップ８を取り付けるために電極刃１３，１４と電極刃受け穴４，５とを位置合わせしたとき、接地極刃１５は必ずいずれか一方の接地極刃受け穴６ａ，６ｂに対向することになり、引掛シーリングキャップ８の取付作業が簡単になる。
【００５９】
なお、本実施の形態においては、引掛シーリングキャップ８に１個の接地極刃１５を設けた場合を例に挙げて説明したが、直線“ｂ”上であって、かつ、直線“ａ”の中央位置に対して点対称となる位置に２個目の接地極刃を設けてもよい。この２個目の接地極刃にも係止爪を形成することにより、引掛シーリングボディ１への引掛シーリングキャップ８の取り付けるときの引っ掛かりの箇所がさらに増え、引掛シーリングキャップ８を介して引掛シーリングボディ１に取り付けられた照明器具１０の取付状態がより一層安定する。
【００６０】
また、本実施の形態では、引掛シーリングボディ１に接地極刃受け穴６ａ，６ｂと接地極とを設け、引掛シーリングキャップ８に接地極刃１５を設けた場合を例に挙げて説明したが、これとは逆に、引掛シーリングボディ１に接地極刃１５を設け、引掛シーリングキャップ８に接地極刃受け穴６ａ，６ｂと接地極とを設けてもよい。
【００６１】
つぎに、本発明の第２の実施の形態を図４および図５に基づいて説明する。なお、図１ないし図３において説明した部分と同じ部分は同じ符号で示し、説明も省略する（以下の実施の形態においても同じ）。図４は、引掛シーリングボディと引掛シーリングキャップとを示す斜視図である。図５は、引掛シーリングキャップを示す側面図である。
【００６２】
本実施の形態における引掛シーリングボディ１６および引掛シーリングキャップ１７は、基本的な構造は上述した引掛シーリングボディ１および引掛シーリングボディキャップ８と同じである。異なる点は、引掛シーリングボディケース１８に設けられたボディ側接地部１９が、引掛シーリングボディケース１８の取付面部３の中心部に位置し、引掛シーリングキャップケース２０に設けられたキャップ側接地部である接地極刃２１が、引掛シーリングキャップケース２０の上面部１２に位置している点である。ボディ側接地部１９は、引掛シーリングボディケース１８の取付面部３に形成された接地極刃受け穴１９ａと、引掛シーリングボディケース１８内における接地極刃受け穴１９ａの上方に設けられた接地極（図示せず）とにより形成されている。
【００６３】
引掛シールキャップケース２０の上面部１２から接地極刃２１の上端部までの寸法“Ｄ”は、上面部１２から電極刃１３，１４の上端部までの寸法“ｄ”より大きく設定されている（図５参照）。
【００６４】
このような構成において、照明器具１０（図１参照）が取り付けられた引掛シーリングキャップ１７を天井面に固定された引掛シーリングボディ１６に取り付けることにより、電極刃１３，１４が電極刃受け穴４，５に挿入され、挿入された電極刃１３，１４が電源極に引っ掛かり、接続される。これにより、天井面への照明器具１０の取り付けと、照明器具１０への通電とを行える。
【００６５】
さらに、引掛シーリングキャップ１７を引掛シーリングボディ１６に取り付けたとき、接地極刃２１が接地極刃受け穴１９ａに挿入され、挿入された接地極刃２１が接地極に接続される。これにより、引掛シーリングキャップ１７を引掛シーリングボディ１６へ取り付けることによって照明器具１０を接地させることができ、照明器具１０の接地を簡単に行える。
【００６６】
また、ボディ側接地部１９である接地極刃受け穴１９ａと接地極とが引掛シーリングボディケース１８の取付面部３の中心部に設けられ、キャップ側接地部である接地極刃２１が引掛シーリングキャップケース２０の上面部１２に形成されているため、引掛シーリングキャップ１７を引掛シーリングボディ１６に取り付けるときにおける、接地極刃２１と接地極刃受け穴１９ａとの位置合わせを簡単に行える。
【００６７】
ついで、本発明の第３の実施の形態を図６に基づいて説明する。図６は、引掛シーリングボディと引掛シーリングキャップとを示す斜視図である。本実施の形態は、接地極刃２１の上端部に係止爪２１ａを形成し、接地極刃２１を接地極受け穴１９ａから挿入して接地極に接続させたとき、係止爪２１ａを接地極に引っ掛けるようにしたものである。
【００６８】
これにより、引掛シーリングキャップ１７を引掛シーリングボディ１６に取り付けたときにおける引っ掛かりの箇所が増え、引掛シーリングキャップ１７を介して引掛シーリングボディ１６に取り付けられた照明器具１０の取付状態がより一層安定する。
【００６９】
ついで、本発明の第４の実施の形態を図７に基づいて説明する。図７は、引掛シーリングボディと引掛シーリングキャップとを示す斜視図である。本実施の形態は、引掛シーリングボディケース１８にボディ側接地部として接地極刃２２を設け、引掛シーリングキャップケース２０に接地極刃受け穴２３ａと接地極（図示せず）とから形成されるキャップ側接地部２３を設けたものである。
【００７０】
引掛シーリングキャップ１７を引掛シーリングボディ１６に取り付けたとき、接地極刃受け穴２３ａに挿入された接地極刃２２が接地極に接触して導通常態となり、照明器具１０の接地を行える。
【００７１】
ついで、本発明の第５の実施の形態を図８に基づいて説明する。図８は、引掛シーリングボディと引掛シーリングキャップとを示す斜視図である。本実施の形態の引掛シーリングキャップ２４は、アダプタを兼ねたもので、アダプタを必要とする照明器具（図示せず）を天井面などに取り付ける場合に使用される。
【００７２】
この引掛シーリンクキャップ２４には、電極刃１３，１４と接地極刃１５との他に、ロック爪２５と、解除ボタン２６と、電極刃１３，１４と接地極刃１５とにアダプタを介して導通されたアダプタリード線２７とが設けられている。引掛シーリングキャップ２４を引掛シーリングボディ１に取り付けたとき、ロック爪２５が一方の電極刃受け穴５に挿入されてその縁部に当接することにより、引掛シーリングキャップ２４が取り外し方向へ回動することが規制される。解除ボタン２６を押すことにより、ロック爪２５は上面部１２より内側に入り込んで電極刃受け穴５の縁部への当接が解除され、引掛シーリングキャップ２４を取り外し方向へ回動させることにより引掛シーリングヘッド１から取り外すことができる。
【００７３】
引掛シーリングキャップ２４への照明器具の吊り下げは、吊り下げ部材として機能するチェーンなどにより行われており、アダプタリード線２７が照明器具に導通状態に接続されている。
【００７４】
このような構成において、引掛シーリングキャップ２４を引掛シーリングボディ１に取り付け、さらに、アダプタリード線２７を照明器具に接続することにより、アダプタを必要とする照明器具への通電と接地とを行える。
【００７５】
【発明の効果】
請求項１記載の発明の引掛シーリングボディによれば、引掛シーリングボディケースに接地極を設けたので、この引掛シーリングボディに取り付ける引掛シーリングキャップとして、取付時に接地極に導通状態に接続される接地極刃を備えた引掛シーリングキャップを使用することにより、電源コードの先端部にこの引掛シーリングキャップを取り付けた照明器具の接地を簡単に行うことができる。また、接地極刃と接地極との接続が、引掛シーリングキャップに設けられた電極刃と引掛シーリングボディに設けられた電源極との接続より先に行われるので、引掛シーリングキャップを引掛シーリングボディに取り付ける際における感電事故を防止でき、安全性を向上させることができる。
また、接地極刃受け穴は、電極刃受け穴と同じ円周上に配置されているので、引掛シーリングボディケース内に設けられている一対の電源極と接地極とに接続される配線コードを引掛シーリングボディケースの中央部からまとめて引き出すとき、引掛シーリングボディケース内における各配線コードの長さが同じになり、これらの配線コードの結線作業や配線作業の作業性を向上させることができる。
また、接地極刃受け穴は、一対の電極刃受け穴を結んだ直線に対してその直線の中央位置で直交する直線上に配置されているので、引掛シーリングボディケース内に設けられている一対の電源極に対してボディ側接地部が最も離れて位置することになり、電源極とボディ側接地部との間の絶縁性を向上させることができ、また、一対の電源極とボディ側接地部とが最も離れて位置するので、電源極とボディ側接地部とに対する配線コードの結線作業や配線作業の作業性を向上させることができる。
【００７９】
請求項２記載の発明によれば、請求項１記載の引掛シーリングボディにおいて、接地極刃受け穴は、一対の電極刃受け穴を結んだ直線の中央位置に対して点対称となる位置に一対設けられているので、この引掛シーリングボディに引掛シーリングキャップを取り付けるために電極刃と電極刃受け穴とを位置合わせしたとき、接地極と接地極刃とが必ず対向することになり、引掛シーリングキャップの取付作業が簡単に行うことができる。
【００８１】
請求項３記載の発明の引掛シーリングキャップによれば、引掛シーリングキャップに接地極刃を設けたので、この引掛シーリングキャップを取り付ける引掛シーリングボディとして、取付時に接地極刃に導通状態に接続される接地極を備えた引掛シーリングボディを使用することにより、電源コードの先端部にこの引掛シーリングキャップを取り付けた照明器具の接地を簡単に行うことができる。また、接地極刃と接地極との接続が、引掛シーリングキャップに設けられた電極刃と引掛シーリングボディに設けられた電源極との接続より先に行われるので、引掛シーリングキャップを引掛シーリングボディに取り付ける際における感電事故を防止でき、安全性を向上させることができる。
また、接地極刃は、電極刃と同じ円周上に配置されているので、一対の電極刃と接地極刃とに接続される配線コードを引掛シーリングキャップケースの中央部からまとめて引き出すとき、引掛シーリングキャップケース内における各配線コードの長さが同じになり、これらの配線コードの結線作業や配線作業の作業性を向上させることができる。
また、接地極刃は、一対の電極刃を結んだ直線に対してその直線の中央位置で直交する直線上に配置されているので、一対の電極刃に対して接地極刃が最も離れて位置することになり、電極刃と接地極との間の絶縁性を向上させることができ、また、一対の電極刃と接地極刃とが最も離れて位置するので、電源極と接地極とに対する配線コードの結線作業や配線作業の作業性を向上させることができる。
【００８５】
請求項４記載の発明によれば、請求項３記載の引掛シーリングキャップにおいて、接地極刃は、一対の電極刃を結んだ直線の中央位置に対して点対称となる位置に一対設けられているので、この引掛シーリングキャップを引掛シーリングボディに取り付けるために電極刃と電極刃受け穴とを位置合わせしたとき、接地極と接地極刃とが必ず対向することになり、引掛シーリングキャップの取付作業を簡単に行うことができる。
【００８６】
請求項５載の発明によれば、請求項３または４のいずれか一記載の引掛シーリングキャップにおいて、接地極刃は、接地極に対して引っ掛けられる係止爪を有するので、引掛シーリングキャップを引掛シーリングボディに取り付けたとき、一対の電極刃が一対の電源極に引っ掛かるとともに、接地極刃と接地極とが引っ掛かるので、引っ掛かりの箇所が増え、引掛シーリングキャップを介して引掛シーリングボディに取り付けられた照明器具の取付状態がより一層安定する。
【００８７】
請求項６記載の発明の照明器具取付装置によれば、請求項１記載の引掛シーリングボディと請求項３記載の引掛シーリングキャップとを具備し、引掛シーリングキャップを引掛シーリングボディに取り付けたときに、引掛シーリングキャップに設けられた接地極刃と引掛シーリングボディに設けられた接地極とが導通状態に接続されているので、電源コードの先端部にこの引掛シーリングキャップを取り付けた照明器具の接地を簡単に行うことができる。
【００８９】
請求項７記載の発明の照明装置によれば、請求項６記載の照明器具取付装置と、電源コードの先端部に引掛シーリングキャップが取り付けられた照明器具とを具備するので、この照明装置によれば、照明器具の接地を簡単に行うことができ、感電事故を防止できて安全性を向上させることができる。
【００９０】
請求項８記載の照明装置によれば、請求項６記載の照明器具取付装置と、アダプタを兼ねた引掛シーリングキャップが取り付けられた照明器具とを具備するので、この照明装置によれば、アダプタを必要とする照明器具の場合でも接地を簡単に行うことができ、感電事故を防止できて安全性を向上させることができる。
【図面の簡単な説明】
【図１】本発明の第１の実施の形態における照明装置を示す側面図である。
【図２】引掛シーリングボディと引掛シーリングキャップとを示す斜視図である。
【図３】引掛シーリングキャップを示す側面図である。
【図４】本発明の第２の実施の形態における引掛シーリングボディと引掛シーリングキャップとを示す斜視図である。
【図５】引掛シーリングキャップを示す側面図である。
【図６】本発明の第３の実施の形態における引掛シーリングボディと引掛シーリングキャップとを示す斜視図である。
【図７】本発明の第４の実施の形態における引掛シーリングボディと引掛シーリングキャップとを示す斜視図である。
【図８】本発明の第５の実施の形態における引掛シーリングボディとアダプタを兼ねた引掛シーリングキャップとを示す斜視図である。
【符号の説明】
１，１６：  引掛シーリングボディ
２，１８：  引掛シーリングボディケース
３      ：  取付面部
４，５  ：  電極刃受け穴
６，７，１９，２２  ：  ボディ側接地部
８，１７，２４  ：  引掛シーリングキャップ
９，２０  ：  引掛シーリングキャップケース
１０      ：  照明器具
１１      ：  電源コード
１２      ：  上面部
１３，１４  ：  電極刃
１５，２１，２３  ：  キャップ側接地部
１５ａ，２１ａ    ：  係止爪
【図１】
0004456191.tif 000002
【図２】
0004456191.tif 000003
【図３】
0004456191.tif 000004
【図４】
0004456191.tif 000005
【図５】
0004456191.tif 000006
【図６】
0004456191.tif 000007
【図７】
0004456191.tif 000008
【図８】
0004456191.tif 000009